(57)【要約】【課題】  着用者の膝関節の安定性を向上して、着用者の疲労を減少すると共に、スポーツ時の着用者の動作を補助することができる膝関節サポーターを提供する。【解決手段】  膝関節サポーター１０は、第１のアンカー部２及び第２のアンカー部３に連結して着用者の大腿及び下腿の外側に沿って略直線状に編成される第１の支持部４と、第１のアンカー部２及び第２のアンカー部３に連結して着用者の大腿及び下腿の内側に沿って略直線状に編成される第２の支持部５と、着用者の膝蓋骨１０７に対応する部分の下方で交差する略Ｘ字形状に編成される第１の交差部６と、を備え、筒状編地の周方向Ｈにおける第１のアンカー部２及び第２のアンカー部３の伸縮抵抗が、筒状編地の周方向Ｈにおけるベース生地部１の伸縮抵抗より大きく、筒状編地の長さ方向Ｌにおける第１の支持部４、第２の支持部５及び第１の交差部６の伸縮抵抗が、筒状編地の長さ方向Ｌにおけるベース生地部１の伸縮抵抗より大きい。【選択図】        図１
2013104138.tif 000002
【特許請求の範囲】
【請求項１】
筒状編地からなり、着用者の体表に密着して膝関節を補助する膝関節サポーターにおいて、
前記筒状編地の一端を周回して編成され、前記着用者の大腿に当該筒状編地を締着させる第１のアンカー部と、
前記筒状編地の他端を周回して編成され、前記着用者の下腿に当該筒状編地を締着させる第２のアンカー部と、
前記第１のアンカー部及び第２のアンカー部に連結して前記着用者の大腿及び下腿の外側に沿って略直線状に編成され、前記着用者の外側広筋及び大腿二頭筋を支持する第１の支持部と、
前記第１のアンカー部及び第２のアンカー部に連結して前記着用者の大腿及び下腿の内側に沿って略直線状に編成され、前記着用者の内側広筋及び半膜様筋を支持する第２の支持部と、
前記着用者の膝蓋骨に対応する部分の下方で交差する略Ｘ字形状に編成され、当該略Ｘ字形状の編地における二つの端部を前記第１の支持部にそれぞれ連結し、当該略Ｘ字形状の編地における他の二つの端部を前記第２の支持部にそれぞれ連結して、当該着用者の膝蓋骨を支持する第１の交差部と、
を備え、
前記筒状編地の周方向における前記第１のアンカー部及び第２のアンカー部の伸縮抵抗が、前記筒状編地の周方向におけるベース生地部の伸縮抵抗より大きく、
前記筒状編地の長さ方向における前記第１の支持部、第２の支持部及び第１の交差部の伸縮抵抗が、前記筒状編地の長さ方向における前記ベース生地部の伸縮抵抗より大きいことを特徴とする膝関節サポーター。
【請求項２】
前記請求項１に記載の膝関節サポーターにおいて、
前記着用者の腓腹筋に対応する部分で交差する略Ｘ字形状に編成され、当該略Ｘ字形状の編地における二つの端部を前記第１の支持部にそれぞれ連結し、当該略Ｘ字形状の編地における他の二つの端部を前記第２の支持部にそれぞれ連結して、当該着用者の腓腹筋及びヒラメ筋を支持する第２の交差部を備え、
前記筒状編地の長さ方向における前記第２の交差部の伸縮抵抗が、前記筒状編地の長さ方向における前記ベース生地部の伸縮抵抗より大きいことを特徴とする膝関節サポーター。
【請求項３】
前記請求項２に記載の膝関節サポーターにおいて、
前記第１の交差部における前記第２のアンカー部側の二つの端部に向かう編地が、前記第２の交差部における前記第１のアンカー部側の二つの端部に向かう編地にそれぞれ連続することを特徴とする膝関節サポーター。
【請求項４】
前記請求項１乃至３のいずれかに記載の膝関節サポーターにおいて、
前記第１の交差部が、交点の編地と交点以外の他の編地からなり、
前記筒状編地の長さ方向における前記交点の編地の伸縮抵抗が、前記筒状編地の長さ方向における前記他の編地の伸縮抵抗より大きいことを特徴とする膝関節サポーター。
【発明の詳細な説明】
【技術分野】
【０００１】
この発明は、着用者の体表に密着して膝関節を補助する膝関節サポーターに関し、特に、着用者の膝関節の安定性を向上して、スポーツ時の着用者の動作を補助し、疲労を軽減することができるテーピング機能を具備する膝関節サポーターに関するものである。
【背景技術】
【０００２】
従来のサポータは、伸縮性素材からなる筒状の本体と、これに一体的に設けられ、本体よりも低伸縮性素材からなるサポート部分とを有する。サポート部は、本体を人体に対して固定するアンカー部と、膝と係合する係合部と、アンカー部と係合部とを連結することにより肢軸に対する膝の体幹側への変位を抑制する連結部とを具備している（例えば、特許文献１参照）。
【先行技術文献】
【特許文献】
【０００３】
【特許文献１】特開２００８−１０６４０４号公報
【発明の概要】
【発明が解決しようとする課題】
【０００４】
従来のサポータは、過度の内旋や外反による膝の故障を有効に防止、保護し得るサポータであり、脚の外側面に沿って係合部とアンカー部とを直線的に連結するように連結部が設けられているが、脚の内側面には連結部が設けられていない。このため、従来のサポータは、脚の外側面及び内側面に掛かる連結部による押圧力のバランスに欠けるものであり、膝関節の安定性を向上するものではなく、着用者の疲労を減少するものではない。
【０００５】
特に、従来のサポータは、本体よりも低伸縮性の素材からなるサポート部分（アンカー部、係合部、連結部）が、本体に裏打ち逢着されるために、筒状の本体を構成した後に、サポート部分を縫合する工程が必要であり、製造工程が複雑であるという課題がある。
【０００６】
また、従来のサポータは、着用者の膝に対して内側面から外側面に向けて強い押圧力を与えるものではないため、脚の外側面側から膝に外力を受けた場合に、外力を緩和する膝部の内側面から外側面に向けての反発力が得られず、内側側副靭帯の損傷を抑制するために十分ではないという課題がある。
【０００７】
この発明は、上述のような課題を解決するためになされたもので、着用者の膝関節の安定性を向上して、着用者の疲労を減少すると共に、スポーツ（特に、バスケットボール）時の着用者の動作を補助することができる膝関節サポーターを提供することを目的とする。
【課題を解決するための手段】
【０００８】
この発明に係る膝関節サポーターにおいては、筒状編地の一端を周回して編成され、着用者の大腿に当該筒状編地を締着させる第１のアンカー部と、筒状編地の他端を周回して編成され、着用者の下腿に当該筒状編地を締着させる第２のアンカー部と、第１のアンカー部及び第２のアンカー部に連結して着用者の大腿及び下腿の外側に沿って略直線状に編成され、着用者の外側広筋及び大腿二頭筋を支持する第１の支持部と、第１のアンカー部及び第２のアンカー部に連結して着用者の大腿及び下腿の内側に沿って略直線状に編成され、着用者の内側広筋及び半膜様筋を支持する第２の支持部と、着用者の膝蓋骨に対応する部分の下方で交差する略Ｘ字形状に編成され、当該略Ｘ字形状の編地における二つの端部を第１の支持部にそれぞれ連結し、当該略Ｘ字形状の編地における他の二つの端部を第２の支持部にそれぞれ連結して、当該着用者の膝蓋骨を支持する第１の交差部と、を備え、筒状編地の周方向における第１のアンカー部及び第２のアンカー部の伸縮抵抗が、筒状編地の周方向におけるベース生地部の伸縮抵抗より大きく、筒状編地の長さ方向における第１の支持部、第２の支持部及び第１の交差部の伸縮抵抗が、筒状編地の長さ方向におけるベース生地部の伸縮抵抗より大きいものである。
【発明の効果】
【０００９】
この発明に係る膝関節サポーターにおいては、第１の支持部により着用者の外側広筋及び大腿二頭筋を支持し、第２の支持部により着用者の内側広筋及び半膜様筋を支持して、着用者の大腿四頭筋を支持すると共に、第１の交差部により着用者の膝蓋骨を支持することで、膝関節サポーターの着用者の膝が必要以上に左右にぶれずに安定性を確保することができる。
【図面の簡単な説明】
【００１０】
【図１】（ａ）は第１の実施形態に係る膝関節サポーターの概略構成を示す正面図であり、（ｂ）は図１（ａ）に示す膝関節サポーターの背面図であり、（ｃ）は図１（ａ）に示す膝関節サポーターの左側面図であり、（ｄ）は図１（ａ）に示す膝関節サポーターの平面図であり、（ｅ）は図１（ａ）に示す膝関節サポーターの底面図である。
【図２】（ａ）は図１に示す足関節サポーターの見方を変えた正面図であり、（ｂ）は図２（ａ）に示す足関節サポーターの背面図であり、（ｃ）は図２（ａ）に示す足関節サポーターの左側面図であり、（ｅ）は図２（ａ）に示す足関節サポーターの平面図であり、（ｆ）は図２（ａ）に示す足関節サポーターの底面図である。
【図３】（ａ）は図１に示す膝関節サポーターを左脚に着用した状態を示す正面図であり、（ｂ）は図１に示す膝関節サポーターを左脚に着用した状態を示す背面図であり、（ｃ）は図１に示す膝関節サポーターを左脚に着用した状態を示す左側面図である。
【図４】（ａ）は大腿部の筋肉の名称を説明するための前方の人体図であり、（ｂ）は大腿部の筋肉の名称を説明するための左後外側方の人体図であり、（ｃ）は大腿部の中間広筋を説明するための下肢前方の人体図であり、（ｄ）は下腿部の筋肉の名称を説明するための後方の人体図である。
【図５】（ａ）は第１の実施形態に係る他の足関節サポーターの見方を変えた正面図であり、（ｂ）は図５（ａ）に示す足関節サポーターの背面図であり、（ｃ）は図５（ａ）に示す足関節サポーターの左側面図であり、（ｅ）は図５（ａ）に示す足関節サポーターの平面図であり、（ｆ）は図５（ａ）に示す足関節サポーターの底面図である。
【図６】（ａ）は第１の実施形態に係るさらに他の足関節サポーターの見方を変えた正面図であり、（ｂ）は図６（ａ）に示す足関節サポーターの背面図であり、（ｃ）は図６（ａ）に示す足関節サポーターの左側面図であり、（ｅ）は図６（ａ）に示す足関節サポーターの平面図であり、（ｆ）は図６（ａ）に示す足関節サポーターの底面図である。
【発明を実施するための形態】
【００１１】
（本発明の第１の実施形態）
図１乃至図３において、膝関節サポーター１０は、靴下編機（例えば、ロナティ社製の編み機種（針数：２００本））により丸編で編み立てられる筒状編地からなり、着用者の体表に密着して着用者の膝関節を補助するサポーターである。
【００１２】
膝関節サポーター１０は、表糸、裏糸及びゴム糸を編糸とし、平編や鹿の子編などで編成されてなる伸縮性のある編地であるベース生地部１に対して、異なる編み立てを施すことで、テーピング機能などの所望の機能性を具備する。なお、本実施形態に係るベース生地部１は、１×１鹿の子により編成してなる編地（以下、鹿の子編地と称す）である。
【００１３】
なお、鹿の子編地とは、コース方向及びウェール方向に、平編とタック（あるコースで編み目を脱出させずに、その後のコースで複数ループを脱出させる組織）とが交互に、又は数コースごとに表れる編地である。このため、ベース生地部１には、平編とタックとを併用することで、編地の表面に隆起や透かし目を作ることができ、鹿の子のような網目柄が表れる。
【００１４】
また、膝関節サポーター１０は、筒状編地の一端（上端１０ａ）を周回して編成され、着用者の大腿に膝関節サポーター１０を締着させる第１のアンカー部２と、筒状編地の他端（下端１０ｂ）を周回して編成され、着用者の下腿に膝関節サポーター１０を締着させる第２のアンカー部３とを備える。
【００１５】
第１のアンカー部２及び第２のアンカー部３は、膝関節サポーター１０（筒状編地）の周方向Ｈにおける伸縮抵抗が、膝関節サポーター１０の周方向Ｈにおけるベース生地部１の伸縮抵抗より大きく編成されている。すなわち、素材に伸長を与えない状態から一定の伸長を与えた場合の張力をＦとして、膝関節サポーター１０の周方向Ｈにおけるベース生地部１の張力をＦH1とし、膝関節サポーター１０の周方向Ｈにおける第１のアンカー部２の張力をＦH2とし、膝関節サポーター１０の周方向Ｈにおける第２のアンカー部３の張力をＦH3とした場合に、第１のアンカー部２及び第２のアンカー部３がベース生地部１と比較して、膝関節サポーター１０の周方向Ｈに強い締付力を持つような、ＦH2≒ＦH3＞ＦH1という大小関係を有する。
【００１６】
具体的な編地として、第１のアンカー部２は、膝関節サポーター１０の上端１０ａで膝関節サポーター１０の内側に鹿の子編地を折り返して、ベース生地部１並びに後述する第１の支持部４及び第２の支持部５との境界で他の糸（例えば、ウーリーナイロン糸）で縫製した二重の鹿の子編地（以下、二重鹿の子編地と称す）にすることにより、鹿の子編地のベース生地部１に対して、膝関節サポーター１０の周方向Ｈにおける伸縮抵抗を大きくすることができる。
【００１７】
また、第２のアンカー部３は、膝関節サポーター１０の下端１０ｂで膝関節サポーター１０の内側にリブ編地を折り返して、ベース生地部１並びに後述する第１の支持部４及び第２の支持部５との境界で他の糸（例えば、ウーリーナイロン糸）で縫製した二重のリブ編地（以下、二重リブ編地と称す）にすることにより、鹿の子編地のベース生地部１に対して、膝関節サポーター１０の周方向Ｈにおける伸縮抵抗を大きくすることができる。
なお、リブ編地とは、たて方向に表目のウェールと裏目のウェールとが交互に並ぶ編み目で、本実施形態においては、１ウェール毎に表目と裏目とを配列した１×１の編地である。
【００１８】
このように、第１のアンカー部２は、着用者の大腿を周回して編成され、膝関節サポーター１０の周方向Ｈにおける伸縮抵抗が、膝関節サポーター１０の周方向Ｈにおけるベース生地部１の伸縮抵抗より大きいことにより、着用者の大腿に膝関節サポーター１０を固定し、膝関節の屈曲時における膝関節サポーター１０の上端１０ａのずり下がりを抑制することができる。また、第１のアンカー部２は、後述する第１の支持部４及び第２の支持部５が連結され、後述する第１の支持部４及び第２の支持部５並びに第１の交差部６及び第２の交差部７のアンカーとしても機能する。
【００１９】
また、第２のアンカー部３は、着用者の下腿を周回して編成され、膝関節サポーター１０の周方向Ｈにおける伸縮抵抗が、膝関節サポーター１０の周方向Ｈにおけるベース生地部１の伸縮抵抗より大きいことにより、着用者の下腿に膝関節サポーター１０を固定し、膝関節の屈曲時における膝関節サポーター１０の下端１０ｂのずり上がりを抑制することができる。また、第２のアンカー部３は、後述する第１の支持部４及び第２の支持部５が連結され、後述する第１の支持部４及び第２の支持部５並びに第１の交差部６及び第２の交差部７のアンカーとしても機能する。
【００２０】
なお、第１のアンカー部２及び第２のアンカー部３による着用者の大腿及び下腿に対する締付力を強くしすぎると、大腿及び下腿における血流阻害を生じさせ、着用者に不快感を起こさせる。特に、この不快感は、下腿に比べ、大腿において顕著である。
【００２１】
このため、本実施形態に係る膝関節サポーター１０は、第２のアンカー部３に対して、着用者の体表に接触する第１のアンカー部２の面積を広げ、第１のアンカー部２による体表にかかる圧力を分散させると共に、第１のアンカー部２の一部において度目を調整（例えば、第２のアンカー部３に対して締付力を１０％程度小さく）することで、着用者に与える不快感を緩和している。すなわち、本実施形態に係る膝関節サポーター１０は、膝関節サポーター１０の周方向Ｈに適度な締付力を持つように、ＦH3＞ＦH2＞ＦH1という大小関係を有することが好ましい。
【００２２】
第１の支持部４は、第１のアンカー部２及び第２のアンカー部３に連結して着用者の大腿及び下腿の外側（人体を左右均等に二分する垂直面（正中矢状面）から遠い位置）に沿って略直線状に編成され、着用者の外側広筋１０１（図４（ａ）参照）及び大腿二頭筋１０２（図４（ｂ）参照）を支持する。また、第１の支持部４は、着用者の大腿側における第１のアンカー部２で係止されており、着用者の下腿側における第２のアンカー部３で係止されている。
【００２３】
第２の支持部５は、第１のアンカー部２及び第２のアンカー部３に連結して着用者の大腿及び下腿の内側（正中矢状面から近い位置）に沿って略直線状に編成され、着用者の内側広筋１０３（図４（ａ）参照）及び半膜様筋１０４（図４（ｂ）参照）を支持する。また、第２の支持部５は、着用者の大腿側における第１のアンカー部２で係止されており、着用者の下腿側における第２のアンカー部３で係止されている。
【００２４】
第１の支持部４及び第２の支持部５は、膝関節サポーター１０の長さ方向Ｌにおける伸縮抵抗が、膝関節サポーター１０の長さ方向Ｌにおけるベース生地部１の伸縮抵抗より大きく編成されている。すなわち、膝関節サポーター１０の長さ方向Ｌにおけるベース生地部１の張力をＦL1とし、膝関節サポーター１０の長さ方向Ｌにおける第１の支持部４の張力をＦL4とし、膝関節サポーター１０の長さ方向Ｌにおける第２の支持部５の張力をＦL５とした場合に、第１の支持部４及び第２の支持部５がベース生地部１と比較して、膝関節サポーター１０の長さ方向Ｌに強い締付力を持つような、ＦL4＝ＦL5＞ＦL1という大小関係を有する。
【００２５】
また、第１の支持部４及び第２の支持部５は、膝関節サポーター１０の長さ方向Ｌにおける伸縮抵抗が、膝関節サポーター１０の周方向Ｈにおける伸縮抵抗と比較して大きく編成されている。すなわち、膝関節サポーター１０の周方向Ｈにおける第１の支持部４の張力をＦH4とし、膝関節サポーター１０の周方向Ｈにおける第２の支持部５の張力をＦH5とした場合に、膝関節サポーター１０の長さ方向Ｌに強い締付力を持つような、ＦL4＝ＦL5＞ＦH4＝ＦH4という大小関係を有する。
【００２６】
具体的には、第１の支持部４及び第２の支持部５を、２×１タック編と添え糸編とを併用した編地（以下、タック編・添え糸編地と称す）にすることにより、鹿の子編地のベース生地部１に対して、膝関節サポーター１０の長さ方向Ｌにおける伸縮抵抗を大きくすることができる。
【００２７】
なお、タック編地とは、生地を編成するときに、一時ある編み目を作らないで、次のコースを編むときに一緒に編み目を作る編地である。なお、本実施形態においては、度目とのバランスを考慮して、タックする回数を２回としているが、この回数に限られるものではない。
【００２８】
また、タック編・添え糸編地では、タック編の地編糸の他に他の編糸（例えば、ウーリーナイロン糸）を添えて給糸することで、膝関節サポーター１０の長さ方向Ｌにおける第１の支持部４及び第２の支持部５の伸縮を適度に抑えており、第１の支持部４及び第２の支持部５とベース生地部１並びに後述する第１の交差部６及び第２の交差部７との境界において他の編糸をカットしている（カットボス）。
【００２９】
このように、第１の支持部４及び第２の支持部５は、第１のアンカー部２及び第２のアンカー部３にそれぞれ連結し、膝関節サポーター１０の長さ方向Ｌに沿って略直線状に編成され、膝関節サポーター１０の長さ方向Ｌにおける伸縮抵抗が、膝関節サポーター１０の長さ方向Ｌにおけるベース生地部１の伸縮抵抗より大きいことにより、以下の作用効果を奏する。
【００３０】
第１の支持部４及び第２の支持部５は、第１の支持部４が着用者の外側広筋１０１及び大腿二頭筋１０２を大腿の外側から支持し、第２の支持部５が着用者の内側広筋１０３及び半膜様筋１０４を大腿の内側から支持することにより、大腿四頭筋（大腿直筋１０５（図４（ａ）参照）、外側広筋１０１、中間広筋１０６（図４（ｃ）参照）、内側広筋１０３）の動きと一体化させ、膝の左右の振れを抑制する副木のような役割を果すことができる。
【００３１】
また、第１の支持部４及び第２の支持部５は、膝関節サポーター１０の着用者の膝に対して内側から外側に向けて強い押圧力を与えることで、膝関節サポーター１０の外側面側から膝に外力を受けた場合に、外力を緩和する内側面から外側面に向けての反発力を生じさせることができ、外力により膝が内側に入り込まず、内側側副靭帯の損傷を抑制することができる。
【００３２】
また、第１の支持部４及び第２の支持部５は、膝関節サポーター１０の着用者の大腿及び下腿の外側を支持することで、第１の支持部４及び第２の支持部５による内側に掛かる押圧力とのバランスを取り、着用者の安定した起立状態を維持することができる。特に、第１の支持部４及び第２の支持部５によって、着用者の膝関節を挟持することで、着用者の膝が必要以上に左右にぶれずに安定性を確保することができる。
【００３３】
第１の交差部６は、着用者の膝蓋骨１０７（図７（ａ）参照）に対応する部分の下方で交差する略Ｘ字形状に編成され、当該略Ｘ字形状の編地における二つの端部を第１の支持部４にそれぞれ連結し、当該略Ｘ字形状の編地における他の二つの端部を第２の支持部５にそれぞれ連結して、当該着用者の膝蓋骨１０７を支持する。また、第１の交差部６は、第１の支持部４及び第２の支持部５を介して、着用者の大腿側における第１のアンカー部２で係止されており、第１の支持部４及び第２の支持部５を介して、着用者の下腿側における第２のアンカー部３で係止されている。
【００３４】
この第１の交差部６は、膝関節サポーター１０の長さ方向Ｌにおける伸縮抵抗が、膝関節サポーター１０の長さ方向Ｌにおけるベース生地部１の伸縮抵抗より大きく編成されている。すなわち、膝関節サポーター１０の長さ方向Ｌにおける第１の交差部６の張力をＦL6とした場合に、第１の交差部６がベース生地部１と比較して、膝関節サポーター１０の長さ方向Ｌに強い締付力を持つような、ＦL6＞ＦL1という大小関係を有する。
【００３５】
また、第１の交差部６は、膝関節サポーター１０の長さ方向Ｌにおける伸縮抵抗が、膝関節サポーター１０の周方向Ｈにおける伸縮抵抗と比較して大きく編成されている。すなわち、膝関節サポーター１０の周方向Ｈにおける第１の交差部６の張力をＦH6とした場合に、膝関節サポーター１０の長さ方向Ｌに強い締付力を持つような、ＦL6＞ＦH6という大小関係を有する。
【００３６】
特に、第１の交差部６は、交点６ａの編地と交点６ａ以外の他の編地６ｂからなり、膝関節サポーター１０の長さ方向Ｌにおける交点６ａの編地の伸縮抵抗が、膝関節サポーター１０の長さ方向Ｌにおける他の編地６ｂの伸縮抵抗より大きく編成されている。すなわち、膝関節サポーター１０の長さ方向Ｌにおける交点６ａの張力をＦL6aとし、膝関節サポーター１０の長さ方向Ｌにおける他の編地６ｂの張力をＦL6bとした場合に、第１の交差部６の交点６ａが他の編地６ｂと比較して、膝関節サポーター１０の長さ方向Ｌに強い締付力を持つような、ＦL6ａ＞ＦL6bという大小関係を有する。
【００３７】
また、第１の交差部６の交点６ａは、膝関節サポーター１０の長さ方向Ｌにおける伸縮抵抗が、膝関節サポーター１０の周方向Ｈにおける伸縮抵抗と比較して大きく編成されている。すなわち、膝関節サポーター１０の周方向Ｈにおける交点６ａの張力をＦH6aとした場合に、膝関節サポーター１０の長さ方向Ｌに強い締付力を持つような、ＦL6a＞ＦH6aという大小関係を有する。
【００３８】
具体的には、第１の交差部６の交点６ａをタック編・添え糸編地にし、他の編地６ｂを１×１鹿の子編と添え糸編とを併用した編地（以下、鹿の子編・添え糸編地と称す）にする。これにより、膝関節サポーター１０の長さ方向Ｌにおけるベース生地部１の伸縮抵抗に対して、膝関節サポーター１０の長さ方向Ｌにおける第１の交差部６の伸縮抵抗を大きくすることができると共に、膝関節サポーター１０の長さ方向Ｌにおける他の編地６ｂの伸縮抵抗に対して、膝関節サポーター１０の長さ方向Ｌにおける交点６ａの伸縮抵抗を大きくすることができる。
【００３９】
なお、鹿の子編・添え糸編地では、鹿の子編の地編糸の他に他の編糸（例えば、ウーリーナイロン糸）を添えて給糸することで、膝関節サポーター１０の長さ方向Ｌにおける第１の交差部６の伸縮を適度に抑えており、第１の交差部６の他の編地６ｂとベース生地部１、第１の支持部４、第２の支持部５及び第１の交差部６の交点６ａとの境界において他の編糸をカットしている（カットボス）。また、タック編・添え糸編地である第１の交差部６の交点６ａは、第１の交差部６の他の編地６ｂとの境界において他の編糸をカットしている（カットボス）。
【００４０】
このように、第１の交差部６は、着用者の膝蓋骨１０７に対応する部分の下方で交差する略Ｘ字形状に編成され、当該略Ｘ字形状の編地における二つの端部を第１の支持部４にそれぞれ連結し、当該略Ｘ字形状の編地における他の二つの端部を第２の支持部５にそれぞれ連結して、膝関節サポーター１０の長さ方向Ｌにおける伸縮抵抗が、膝関節サポーター１０の長さ方向Ｌにおけるベース生地部１の伸縮抵抗より大きいことにより、以下の作用効果を奏する。
【００４１】
第１の交差部６は、第１のアンカー部２に連結する第１の支持部４及び第２の支持部５を介して、着用者の膝蓋骨１０７を下腿側から支え、第１の支持部４及び第２の支持部５と共に、大腿四頭筋の動きと一体化させ、膝の左右の振れを抑制することができる。
【００４２】
特に、第１の交差部６は、膝関節サポーター１０の長さ方向Ｌにおける交点６ａの伸縮抵抗が、膝関節サポーター１０の長さ方向Ｌにおける他の編地６ｂの伸縮抵抗より大きく編成されていることにより、第１の交差部６の編地を強化して、着用者の膝蓋骨１０７を下腿側から引き上げる作用効果を高めることができる。
【００４３】
なお、本実施形態に係る第１の交差部６は、第１の支持部４及び第２の支持部５を介して、第１のアンカー部２に背面側で連結し、交点６ａに与える力を後上方に作用させることで、着用者の膝蓋骨１０７を下腿側から引き上げる作用効果をさらに高めている。しかしながら、第１の交差部６は、図５（ｃ）に示すように、第１のアンカー部２に連結することなく、第１の支持部４及び第２の支持部５のみに連結する（交点６ａに与える力を上方に作用させる）構成であってもよい。
【００４４】
第２の交差部７は、着用者の腓腹筋１０８（図４（ｄ）参照）に対応する部分で交差する略Ｘ字形状に編成され、当該略Ｘ字形状の編地における二つの端部を第１の支持部４にそれぞれ連結し、当該略Ｘ字形状の編地における他の二つの端部を第２の支持部５にそれぞれ連結して、当該着用者の腓腹筋１０８及びヒラメ筋１０９（図４（ｄ）参照）を支持する。また、第２の交差部７は、第１の支持部４及び第２の支持部５を介して、着用者の大腿側における第１のアンカー部２で係止されており、第１の支持部４及び第２の支持部５を介して、着用者の下腿側における第２のアンカー部３で係止されている。
【００４５】
この第２の交差部７は、膝関節サポーター１０の長さ方向Ｌにおける伸縮抵抗が、膝関節サポーター１０の長さ方向Ｌにおけるベース生地部１の伸縮抵抗より大きく編成されている。すなわち、膝関節サポーター１０の長さ方向Ｌにおける第２の交差部７の張力をＦL7とした場合に、第２の交差部７がベース生地部１と比較して、膝関節サポーター１０の長さ方向Ｌに強い締付力を持つような、ＦL7＞ＦL1という大小関係を有する。
【００４６】
また、第２の交差部７は、膝関節サポーター１０の長さ方向Ｌにおける伸縮抵抗が、膝関節サポーター１０の周方向Ｈにおける伸縮抵抗と比較して大きく編成されている。すなわち、膝関節サポーター１０の周方向Ｈにおける第２の交差部７の張力をＦH7とした場合に、膝関節サポーター１０の長さ方向Ｌに強い締付力を持つような、ＦL7＞ＦH7という大小関係を有する。
【００４７】
特に、第２の交差部７は、交点７ａの編地と交点７ａ以外の他の編地７ｂからなり、膝関節サポーター１０の長さ方向Ｌにおける交点７ａの編地の伸縮抵抗が、膝関節サポーター１０の長さ方向Ｌにおける他の編地７ｂの伸縮抵抗より大きく編成されている。すなわち、膝関節サポーター１０の長さ方向Ｌにおける交点７ａの張力をＦL7aとし、膝関節サポーター１０の長さ方向Ｌにおける他の編地７ｂの張力をＦL7bとした場合に、第２の交差部７の交点７ａが他の編地７ｂと比較して、膝関節サポーター１０の長さ方向Ｌに強い締付力を持つような、ＦL7ａ＞ＦL7bという大小関係を有する。
【００４８】
また、第２の交差部７の交点７ａは、膝関節サポーター１０の長さ方向Ｌにおける伸縮抵抗が、膝関節サポーター１０の周方向Ｈにおける伸縮抵抗と比較して大きく編成されている。すなわち、膝関節サポーター１０の周方向Ｈにおける交点７ａの張力をＦH7aとした場合に、膝関節サポーター１０の長さ方向Ｌに強い締付力を持つような、ＦL7a＞ＦH7aという大小関係を有する。
【００４９】
具体的には、第２の交差部７の交点７ａをタック編・添え糸編地にし、他の編地７ｂを鹿の子編・添え糸編地にする。これにより、膝関節サポーター１０の長さ方向Ｌにおけるベース生地部１の伸縮抵抗に対して、膝関節サポーター１０の長さ方向Ｌにおける第２の交差部７の伸縮抵抗を大きくすることができると共に、膝関節サポーター１０の長さ方向Ｌにおける他の編地７ｂの伸縮抵抗に対して、膝関節サポーター１０の長さ方向Ｌにおける交点７ａの伸縮抵抗を大きくすることができる。
【００５０】
なお、タック編・添え糸編地である第２の交差部２の交点７ａは、第２の交差部７の他の編地７ｂとの境界において他の編糸をカットしている（カットボス）。また、鹿の子編・添え糸編地である第２の交差部７の他の編地７ｂは、ベース生地部１、第１の支持部４、第２の支持部５及び第２の交差部７の交点７ａとの境界において他の編糸をカットしている（カットボス）。
【００５１】
このように、第２の交差部７は、着用者の腓腹筋１０８に対応する部分で交差する略Ｘ字形状に編成され、当該略Ｘ字形状の編地における二つの端部を第１の支持部４にそれぞれ連結し、当該略Ｘ字形状の編地における他の二つの端部を第２の支持部５にそれぞれ連結して、膝関節サポーター１０の長さ方向Ｌにおける伸縮抵抗が、膝関節サポーター１０の長さ方向Ｌにおけるベース生地部１の伸縮抵抗より大きいことにより、以下の作用効果を奏する。
【００５２】
第２の交差部７は、着用者の腓腹筋１０８及びヒラメ筋１０９を膝関節サポーター１０の周方向Ｈに締め付け、腓腹筋１０８及びヒラメ筋１０９の左右の振れや歪みを抑制して、着用者の歩行を補助すると共に、着用者の体力の損失を防ぎ、疲労を軽減することができる。
【００５３】
特に、第２の交差部７は、膝関節サポーター１０の長さ方向Ｌにおける交点７ａの伸縮抵抗が、膝関節サポーター１０の長さ方向Ｌにおける他の編地７ｂの伸縮抵抗より大きく編成されていることにより、第２の交差部７の編地を強化して、着用者の腓腹筋１０８及びヒラメ筋１０９を膝関節サポーター１０の周方向Ｈに締め付ける作用効果を高めることができる。
【００５４】
なお、本実施形態に係る膝関節サポーター１０は、前述した各部位の編地により、膝関節サポーター１０の長さ方向Ｌにおける第１の支持部４及び第２の支持部５の伸縮抵抗が、膝関節サポーター１０の長さ方向Ｌにおける第１の交差部６の交点６ａ及び第２の交差部７の交点７ａの伸縮抵抗と等しい。また、膝関節サポーター１０の長さ方向Ｌにおける第１の交差部６の他の編地６ｂ及び第２の交差部７の他の編地７ｂの伸縮抵抗が、膝関節サポーター１０の長さ方向Ｌにおける第２のアンカー部３の伸縮抵抗より大きい。また、膝関節サポーター１０の長さ方向Ｌにおける第２のアンカー部３の伸縮抵抗が、膝関節サポーター１０の長さ方向Ｌにおける第１のアンカー部２の伸縮抵抗より大きい。また、膝関節サポーター１０の長さ方向Ｌにおける第１のアンカー部２の伸縮抵抗が、膝関節サポーター１０の長さ方向Ｌにおけるベース生地部１の伸縮抵抗より大きい。
【００５５】
したがって、本実施形態に係る膝関節サポーター１０は、膝関節サポーター１０の長さ方向Ｌにおける張力Ｆにおいて、次式（１）に示す大小関係を満たすものである。ただし、次式（１）において、ＦL2は膝関節サポーター１０の長さ方向Ｌにおける第１のアンカー部２の張力であり、ＦL3は膝関節サポーター１０の長さ方向Ｌにおける第２のアンカー部３の張力である。
【００５６】
〔数１〕
ＦL6a＝ＦL7a＝ＦL4＝ＦL5＞ＦL6b＝ＦL7b＞ＦL3＞ＦL2＞ＦL1      ・・・（１）
【００５７】
なお、本実施形態においては、鹿の子編、リブ編及びタック編に用いられる地編糸として、糸の番手が３０／−であり、綿とポリエステルからなる混紡糸（例えば、三山株式会社製「リッチハウス」）である表糸と、糸の番手が３０／７５であり、ポリウレタン弾性糸を軸に長繊維をカバーリングした加工糸（ＦＴＹ：Filament Twisted Yarn）である裏糸と、ポリウレタンの芯糸にポリエステルの巻き糸を巻きつけたカバーリング・ヤーン（例えば、オペロンテックス株式会社製「ＳＴ８７００」）であるゴム糸とを用いているが、この材質に限られるものではない。
【００５８】
例えば、表糸としては、綿、毛(カシミヤ、ラム、アンゴラなど)、絹若しくは麻などの天然繊維、アクリルなどの化学繊維、又は吸汗、速乾若しくは体温調整機能を持つ素材などを、膝関節サポーター１０のコスト又は着用者のニーズに合わせて選択することが好ましい。また、裏糸としては、抗菌、防臭又は消臭素材を、膝関節サポーター１０のコスト又は着用者のニーズに合わせて選択することが好ましい。
【００５９】
また、タック編・添え糸編地（第１の支持部４、第２の支持部５、第１の交差部６の交点６ａ、第２の交差部７の交点７ａ）及び鹿の子編・添え糸編地（第１の交差部６の他の編地６ｂ、第２の交差部７の他の編地７ｂ）におけるウーリーナイロン糸（柄糸）は、太さ１００デニールの編み本数２本からなる。
【００６０】
なお、本実施形態に係る膝関節サポーター１０は、図２（ｃ）に示すように、第１の交差部６における第２のアンカー部３側の二つの端部に向かう編地が、第１の支持部４及び第２の支持部５を介して、第２の交差部７における第１のアンカー部２側の二つの端部に向かう編地にそれぞれ連続する構成である。
【００６１】
しかしながら、膝関節サポーター１０は、図６（ｃ）に示すように、第１の交差部６における第２のアンカー部３側の二つの端部に向かう編地が、第１の支持部４及び第２の支持部５を介することなく、第２の交差部７における第１のアンカー部２側の二つの端部に向かう編地にそれぞれ連続する構成であってもよい。
【００６２】
この場合には、第１の交差部６と第２の交差部７とが一体となり、第１の交差部６の交点６ａ及び第２の交差部７の交点７ａをアンカーとして互いに引き合うことで、第１の交差部６により膝蓋骨１０７を支持する作用効果を高めると共に、第２の交差部７により腓腹筋１０８及びヒラメ筋１０９を支持する作用効果を高めることができる。
【符号の説明】
【００６３】
１      ベース生地部
２      第１のアンカー部
３      第２のアンカー部
４      第１の支持部
５      第２の支持部
６      第１の交差部
６ａ    交点
６ｂ    他の編地
７      第２の交差部
７ａ    交点
７ｂ    他の編地
１０    膝関節サポーター
１０ａ  上端
１０ｂ  下端
１０１  外側広筋
１０２  大腿二頭筋
１０３  内側広筋
１０４  半膜様筋
１０５  大腿直筋
１０６  中間広筋
１０７  膝蓋骨
１０８  腓腹筋
１０９  ヒラメ筋
Ｈ      周方向
Ｌ      長さ方向
【図１】
2013104138.tif 000003
【図２】
2013104138.tif 000004
【図３】
2013104138.tif 000005
【図４】
2013104138.tif 000006
【図５】
2013104138.tif 000007
【図６】
2013104138.tif 000008